(57)【要約】【課題】使い勝手のよいフレキシブルな表示装置を提供することを目的とする。【解決手段】上面に表示窓１ａを有するケース１と、前記ケース１の表示窓１ａを通して表示領域を見ることが可能なように前記ケース１内に湾曲させた状態で収容しかつ前記表示窓１ａより大きい表示領域を備えた可とう性を有するフィルム状のディスプレイ３と、前記ケース１内に配置され前記ディスプレイの駆動制御を行う駆動制御部とを備え、前記ディスプレイ３は、前記ケース１の端部に設けた開口部１ｂを通してケース１外部への引き出しとケース１内部への収容が可能なように構成され、前記ディスプレイ３のケース１からの引き出し位置をセンサにより検出して前記ディスプレイ３の表示領域における表示範囲を制御するように構成した。【選択図】図３
2013127539.tif 000002
【特許請求の範囲】
【請求項１】
上面に表示窓を有するケースと、前記ケースの表示窓を通して表示領域を見ることが可能なように前記ケース内に湾曲させた状態で収容しかつ前記表示窓より大きい表示領域を備えた可とう性を有するフィルム状のディスプレイと、前記ケース内に配置され前記ディスプレイの駆動制御を行う駆動制御部とを備え、前記ディスプレイは、前記ケースの端部に設けた開口部を通してケース外部への引き出しとケース内部への収容が可能なように構成され、前記ディスプレイのケースからの引き出し位置を検出して前記ディスプレイの表示領域における表示範囲を制御するように構成したことを特徴とする表示装置。
【発明の詳細な説明】
【技術分野】
【０００１】
本発明は、表示部がフレキシブルで巻取り収容および引き出し表示可能な表示装置に関する。
【背景技術】
【０００２】
各種の情報を表示するための表示装置としては、ＰＤＰ、ＬＣＤ、有機ＥＬなどのデバイスを用いた画像表示装置が主流である。また、タッチパネルと上記デバイスを組み合わせ、情報表示部と入力・指示部を併せ持つタッチパネル型表示装置なども広く普及してきている。
【０００３】
一方、近年、表示装置を移動、携帯するため小さく収納可能なフレキシブルな表示装置の必要性が高まってきており、さまざまな提案がなされている（特許文献１参照）。
【先行技術文献】
【特許文献】
【０００４】
【特許文献１】特開２００９−８５９９４号公報
【発明の概要】
【発明が解決しようとする課題】
【０００５】
近年、提案されている任意の形に折り曲げ可能な表示装置や、フレキシブルな基板を用いた巻き取り式表示装置において、巻き取りながら表示を行う際、巻き取って見えなくなる部分にまで表示を行い、不必要に消費電力が高くなってしまう。また、伸縮させて表示させる際に、表示サイズを決定する構成がないために、巻き取りで画面が欠けたり、折り曲げることで見えなくなったりする不具合を生じさせていた。
【０００６】
本発明は、上記課題を解決するためになされたもので、使い勝手のよいフレキシブルな表示装置を提供することを目的とするものである。
【課題を解決するための手段】
【０００７】
上記目的を達成するために、本発明は、上面に表示窓を有するケースと、前記ケースの表示窓を通して表示領域を見ることが可能なように前記ケース内に湾曲させた状態で収容しかつ前記表示窓より大きい表示領域を備えた可とう性を有するフィルム状のディスプレイと、前記ケース内に配置され前記ディスプレイの駆動制御を行う駆動制御部とを備え、前記ディスプレイは、前記ケースの端部に設けた開口部を通してケース外部への引き出しとケース内部への収容が可能なように構成され、前記ディスプレイのケースからの引き出し位置を検出して前記ディスプレイの表示領域における表示範囲を制御するように構成したことを特徴とする。
【発明の効果】
【０００８】
本発明によれば、ケース内にディスプレイを収容した状態と、ケースから引き出した状態とで画像の表示が可能であり、使い勝手のよい表示装置を得ることができる。
【図面の簡単な説明】
【０００９】
【図１】本発明の一実施の形態にかかる表示装置の外観を示す斜視図
【図２】同じく表示装置において、ディスプレイ部を最大限の大きさに引き出した状態を示す斜視図
【図３】同じく表示装置の内部の概略構成を示す概略断面図
【図４】同じく表示装置のディスプレイの概略構成を示す平面図
【図５】ディスプレイの１画素の構成を示す断面図
【図６】同じく表示装置の駆動部の電気回路を示すブロック図
【発明を実施するための形態】
【００１０】
以下、本発明の一実施の形態による表示装置について、図１〜図６を用いて説明する。
【００１１】
図１は本発明の一実施の形態にかかる表示装置の外観を示す斜視図、図２は同表示装置において、ディスプレイ部を最大限の大きさに引き出した状態を示す斜視図である。
【００１２】
図１、図２に示すように、表示装置は、上面に表示窓１ａを有するとともに、一端部（図１においては右側端部）に開口部１ｂを設けた樹脂製のケース１と、このケース１の表示窓１ａを塞ぐように配置したガラス製の透明なタッチパネル２と、前記ケース１の表示窓１ａを通して表示領域を見ることが可能なように前記ケース１内に湾曲させた状態で収容され、前記ケース１の開口部１ｂより外部に引き出すことが可能な可とう性を有する有機ＥＬディスプレイからなるフィルム状のディスプレイ３とを備えている。前記ディスプレイ３は、前記ケース１の表示窓１ａより大きい表示領域を備えており、前記ケース１内部に収容した状態と、ケース１外部に引き出した状態とで、表示領域に対する表示範囲が制御されるものである。また、前記フィルム状のディスプレイ３の一端部には、ディスプレイ３の一端を支持する機能と、前記ケース１の開口部１ｂを塞ぐ機能を果たす樹脂製の把持枠４が取り付けられている。
【００１３】
図３は、図１、図２に示す表示装置の内部の概略構成を示す概略断面図であり、図３（ａ）は図１に示す通常の使用状態のときの断面図、図３（ｂ）は図２に示す大画面の使用状態のときの断面図である。
【００１４】
図３（ａ）に示すように、ディスプレイ３をケース１内に収容した状態においては、ディスプレイ３は、ケース１内に配置した支持ローラ５を中心に折り曲げた状態でケース１内に収容されている。そして、前記把持枠４を持ってディスプレイ３を引っ張ることにより、ケース１の開口部１ｂから外部に引き出すことが可能な構造を有している。すなわち、本発明による表示装置は、図３（ｂ）に示すように前記把持枠４を持ってディスプレイ３をケース１の開口部１ｂから外部に引き出すことにより、表示窓１ａから見ていた表示領域がケース１の外部に引き出され、図３（ａ）の状態のときに、ケース１の底面部に位置していた表示領域が表示窓１ａの位置に来ることとなり、これにより図３（ａ）の通常の使用状態のときに比べ、見える表示領域が大きくなり、大画面の表示が可能となる。
【００１５】
また、図３（ａ）に示すように、ケース１内において、ディスプレイ３をケース１内に収容した状態のときにディスプレイ３に挟まれる中央部の空間には、ディスプレイ３の駆動制御を行う駆動回路部と、タッチパネル２の制御を行う制御回路部とを搭載した回路基板６が配置されている。さらに、この回路基板６には、ディスプレイ３の位置を検出するための光センサの受光部７ａが搭載され、ケース１の内底面には光センサの発光部７ｂが取り付けられている。すなわち、図３（ａ）に示す通常の使用状態のときは、ディスプレイ３によって光センサの発光部７ｂからの光が遮られて受光部７ａに光が入射しなく、図３（ｂ）に示す大画面の使用状態のときは、光センサの発光部７ｂからの光がディスプレイ３によって遮られることなく受光部７ａに入射することにより、ディスプレイ３の位置を検出することができる。
【００１６】
なお、図３に示す例では、図３（ａ）の通常の使用状態と、図３（ｂ）の大画面の使用状態の２つの表示モードのみを示しているが、ディスプレイ３の位置を検出するセンサを複数個配置し、上記２つの表示モード以外に、図３（ａ）の状態と図３（ｂ）の状態との間の画面サイズで表示を行う中間表示モードを設定するように構成してもよい。
【００１７】
図４は上記フィルム状の有機ＥＬディスプレイからなるディスプレイ３の概略構成を示す平面図である。図４に示すように、ディスプレイ３は、ポリイミドやポリエチレンテレフタレートなどの耐熱性に優れた合成樹脂フィルムをベース基材とし、このベース基材上に、薄膜トランジスタによるスイッチング素子、画素電極、有機ＥＬの発光層を形成して構成したアクティブマトリクス構造の表示部８と、前記薄膜トランジスタのスイッチングを制御するとともに、画素電極に電圧を印加するため駆動ドライバ９を搭載することにより構成され、自由に折り曲げ可能な可とう性を有する構造である。前記表示部８と各駆動ドライバ９とは、表示部８から引き出した配線パターン８ａによって、電気的に接続されている。
【００１８】
また、図４において、点線Ａで区切られた領域のうち、右側の領域が図３（ａ）に示す通常の使用状態の表示領域であり、図３（ｂ）に示す大画面の使用状態のときは、表示部８全体が表示領域として使用される。なお、図４において、１０はディスプレイ３と回路基板６とを電気的に接続するためのフレキシブル配線板である。
【００１９】
図５は、ディスプレイ３の表示部８の１画素の構成を示す断面図である。図５に示すように、有機ＥＬディスプレイによるディスプレイ３の表示部８は、ポリイミドやポリエチレンテレフタレートなどの耐熱性に優れた合成樹脂フィルムからなる絶縁性のフレキシブル基板１１上に、ゲート電極１２ａ、ゲート電極１２ａを覆うゲート絶縁膜１２ｂ、ゲート絶縁膜１２ｂ上に形成される半導体膜１２ｃ、半導体膜１２ｃ上に形成されるソース／ドレイン電極１２ｄ、保護膜１２ｅ、平坦化膜１２ｆからなるスイッチング素子としての薄膜トランジスタ１２を形成し、この薄膜トランジスタ１２上に、前記ドレイン電極１２ｄに接続するように平坦化膜１２ｆ上に形成されるアノード電極１３ａ、有機ＥＬ発光層１３ｂ、カソード電極１３ｃ、画素分離絶縁膜１３ｄ、封止層１３ｅ、透明な樹脂からなるカバーフィルム１３ｆからなる発光部１３を形成することにより構成されている。発光部１３からの発光する光は、図５の矢印に示すように、上方より取り出される。
【００２０】
ここで、前記半導体膜１２ｃとしては、Ｉｎ−Ｇａ−Ｚｎ−Ｏを含むＩｎＧａＺｎＯxのアモルファス酸化物半導体により構成するのが望ましい。このＩｎ−Ｇａ−Ｚｎ−Ｏを含むＩｎＧａＺｎＯxのアモルファス酸化物半導体膜の成膜方法としては、例えば、ＩｎＧａＯ3（ＺｎＯ）4組成を有する多結晶焼結体をターゲットとして、スパッタ法やレーザー蒸着法などの気相成膜法により形成することができる。
【００２１】
図６は、表示装置の駆動部の電気回路を示すブロック図である。なお、図６には図示していないが、表示装置には、外部から無線通信などにより送られてくる画像信号などを蓄積する半導体メモリによる記憶手段が設けられている。
【００２２】
図６に示すように、この記憶手段から取り出された画像信号は、画像処理回路２１に入力され、この画像処理回路２１において所定のガンマ補正や色補正などの信号処理が行われた後、駆動制御回路２２に信号が入力される。駆動制御回路２２においては、画像処理回路２１からの信号に基づき、ディスプレイ３の駆動ドライバ９を駆動させるための信号に変換して出力し、駆動ドライバ９を動作させて、入力された画像信号に応じてディスプレイ３の各画素の点灯を制御して所定の表示を行う。
【００２３】
一方、図３において説明したように、光センサなどのディスプレイ位置検出センサ２３からの検出信号は、ディスプレイ表示範囲判別手段２４に入力され、ディスプレイ表示範囲判別手段２４においては、ディスプレイ位置検出センサ２３からの検出信号に基づき、ディスプレイ３が図３（ａ）の通常の状態であるのか、図３（ｂ）の大画面の表示モード状態であるのかを判別し、画面表示領域制御回路２５に判別信号を入力する。この画面表示領域制御回路２５においては、判別信号に基づいて、表示領域制御信号を画像処理回路２１に出力する。画像処理回路２１においては、この表示領域制御信号に基づいて、画像の大きさ、解像度などを設定し、駆動制御回路２２に制御信号を出力する。駆動制御回路２２は、この制御信号に基づき、駆動ドライバ９の動作を制御して、ディスプレイ３上に表示される画像のサイズ、解像度を変更して表示する。
【００２４】
一方、タッチパネル２に指やタッチペンなどで触れることにより、その位置情報が位置座標検出手段２６により検出され、その検出情報が操作制御手段２７に入力される。操作制御手段２７においては、ディスプレイ３を含めた装置の動作制御を行うソフトウェアを選択し、その制御情報に基づき機器制御手段２８を動作させ、電源回路の制御やタッチパネル２の制御や機器動作の制御などが行われる。また、機器制御手段２８からの信号は、画像処理回路２１にも入力され、ディスプレイ３に表示する画像の移動、表示サイズの変更などの表示制御を行う。
【００２５】
以上説明したように、本発明の表示装置は、上面に表示窓１ａを有するケース１と、前記ケース１の表示窓１ａを通して表示領域を見ることが可能なように前記ケース１内に湾曲させた状態で収容しかつ前記表示窓１ａより大きい表示領域を備えた可とう性を有するフィルム状のディスプレイ３と、前記ケース１内に配置され前記ディスプレイの駆動制御を行う駆動制御部とを備え、前記ディスプレイ３は、前記ケース１の端部に設けた開口部１ｂを通してケース１外部への引き出しとケース１内部への収容が可能なように構成され、前記ディスプレイ３のケース１からの引き出し位置をセンサにより検出して前記ディスプレイ３の表示領域における表示範囲を制御するように構成したもので、ケース内にディスプレイを収容した状態と、ケースから引き出した状態とで画像の表示が可能であり、使い勝手のよい表示装置を得ることができる。
【産業上の利用可能性】
【００２６】
以上のように本発明は、使い勝手のよいフレキシブルな表示装置を得る上で有用な発明である。
【符号の説明】
【００２７】
１  ケース
１ａ  表示窓
２  タッチパネル
３  ディスプレイ
４  把持枠
５  支持ローラ
６  回路基板
８  表示部
９  駆動ドライバ
【図１】
2013127539.tif 000003
【図２】
2013127539.tif 000004
【図３】
2013127539.tif 000005
【図４】
2013127539.tif 000006
【図５】
2013127539.tif 000007
【図６】
2013127539.tif 000008